(57)【要約】【課題】内容物放出用のポンプ機構に関し、利用者の内容物放出操作の長期にわたるソフト化・利便化を図る。【解決手段】ハウジング内部空間域Ａの内容物圧力が増加したときに吐出弁体６とともに移動するスライドリング７を設けて、吐出弁体６が、放出操作初期段階のハウジング内部空間域Ａの内容物圧力増加にともないその受圧方向に移動できるようにして、操作部材（スパウト９）の作動荷重を従来の吐出弁体変形態様の場合よりも小さくした。また、ピストン５を静止モード位置に付勢するための弾性部材（アウタースプリング８）を、放出対象内容物の収容空間域や通路空間域などの外側に設けて、当該内容物との化学反応などに基づく当該弾性部材の変性，劣化などを抑止した。【選択図】図１
2014172644.tif 000002
【特許請求の範囲】
【請求項１】
内容物放出操作に連動して静止モード位置のピストンが弾性力に抗しながらハウジング内部を第一方向に移動するときの、吸込弁と吐出弁との間のハウジング内部空間域に収容された内容物の圧力増加により、当該吐出弁がそれまでの静止モードの閉状態から開状態へと移行するポンプ機構において、
前記吐出弁の構成要素であって、前記ピストンの一部からなる吐出弁座と、
前記吐出弁の構成要素であって、前記内容物の圧力増加にともない前記弾性力に抗しながら前記吐出弁座から離れる第二方向に全体が移動する吐出弁体と、
前記第一方向における静止モード位置より先への移動が制限され、かつ、前記吐出弁体とともに前記第二方向へ連動するスライド部材と、
前記ピストンと前記スライド部材との間に配設されて前記弾性力を付与する弾性部材と、を備えている、
ことを特徴とするポンプ機構。
【請求項２】
前記スライド部材および前記弾性部材は、
前記ハウジング内部空間域，前記吐出弁体および前記ピストンそれぞれの外側に設けられている、
ことを特徴とする請求項１記載のポンプ機構。
【請求項３】
前記ピストンは、
前記弾性部材の一方部分に対する周方向の外周面受け部が形成された筒状部であり、
前記スライド部材は、
前記ピストンの回りに設定されて、前記弾性部材の他方部分に対する内周面受け部が形成されたリング状部である、
ことを特徴とする請求項１または２記載のポンプ機構。
【請求項４】
前記吐出弁座は、
前記吐出弁体が静止モード位置から前記第二方向に移動する際、その所定長の初期移動後にはじめて当該吐出弁体と離間する態様の、形状を有している、
ことを特徴とする請求項１乃至３のいずれかに記載のポンプ機構。
【請求項５】
容器本体に放出対象内容物を収容し、
請求項１乃至４のいずれかに記載のポンプ機構が取り付けられている、
ことを特徴とするポンプ式製品。
【発明の詳細な説明】
【技術分野】
【０００１】
本発明は、内容物放出操作に連動してハウジング内部のピストンが弾性力に抗しながら移動するときの操作初期段階で、吸込弁（吸込弁座＋吸込弁体）と吐出弁（吐出弁座＋吐出弁体）との間のハウジング内部空間域に収容済みの内容物の圧力が増加して、当該吐出弁をそれまでの閉状態から開状態へとシフトさせるポンプ機構に関する。
【０００２】
特に、内容物放出操作の初期段階における上記内容物の圧力増加に応じた吐出弁の開状態シフトに際し、
吐出弁体の一部（静止モードにおける吐出弁座との密接部分）が変形して吐出弁座から離間するのではなく、
吐出弁体の全体が当該圧力増加に基づく上方向などに移動して吐出弁座から離間する、
ように設定したポンプ機構に関する。
【背景技術】
【０００３】
容器本体に取り付けられて次回放出対象の内容物を収容するハウジングの内部空間域に、吸込弁体，吸込弁座，吐出弁体、および吐出弁座かつ内容物通路域として作用するピストンなどを配設した形のポンプ機構が、広く使用されている（特許文献１参照）。
【０００４】
この従来のポンプ機構は、内容物放出操作時のピストンのいわば初期移動に基づくハウジング内部空間域の収容内容物の圧力増加にともない、吐出弁体の一部であってそれまで吐出弁座（ピストンの一部）と密接していた弁体作用部が変形する。
【０００５】
なお、このハウジング内部空間域の圧力増加にともないその中の吐出弁体の全体が移動せずに、弁体作用部が変形するのは、当該吐出弁体の上端側（移動対象方向側）がハウジング固定用のネジキャップなどに当接した状態で係止されているからである。
【０００６】
この吐出弁の弁体作用部の変形作用により、それまでの当該弁体作用部と吐出弁座（ピストンの一部）との密接状態が解除される。すなわち吐出弁が静止モードの閉状態から作動モードの開状態へと移行する。
【０００７】
また、ピストンを静止モード位置に付勢するためのコイルスプリングは、ハウジング内部空間域すなわち各種性状の放出対象内容物を収容する空間域に設けられている。
【先行技術文献】
【特許文献】
【０００８】
【特許文献１】特開２００２−２１９３８７号公報
【発明の開示】
【発明が解決しようとする課題】
【０００９】
このような従来のポンプ機構の場合、内容物放出操作の初期段階におけるハウジング内部空間域の内容物圧力増加にともなう吐出弁体（弁作用部）の変形作用により、吐出弁をそれまでの閉状態から開状態にシフトさせている。
【００１０】
この吐出弁体（弁作用部）は、静止モードにおいてピストン側の吐出弁座と強く密接し、かつ、内容物放出操作の初期段階のときはこの密接状態を解除して吐出弁の開状態が設定され、内容物放出操作の終了時には当該開状態から当該密接状態に復帰するように、一時変形しえる強弾性状のものである。
【００１１】
そのため、静止モードの吐出弁体の弁作用部を変形させるための放出操作に必要な操作部材の作動荷重が大きくなり、子供や女性などにとってはハードな内容物放出操作を強いられることになりかねない。
【００１２】
この作動荷重を少しでも小さくするため、本発明では、吐出弁体が、放出操作初期段階のハウジング内部空間域の内容物圧力増加にともないその受圧方向に移動できるようにしている。
【００１３】
すなわち、ハウジング内部空間域の内容物圧力が増加したときに吐出弁体とともに移動するスライド部材を新たに設けている。
【００１４】
このスライド部材の採用にともない、内容物放出操作時における操作部材の作動荷重を従来の吐出弁体変形態様の内容物放出操作の場合よりも小さくして、利用者の内容物放出操作のソフト化，利便化を図ることを目的とする。
【００１５】
また、ピストンを静止モード位置に付勢するための弾性部材を、放出対象内容物の収容空間域や通路空間域などの外側にいわば隔離された形で設けて、当該内容物との化学反応などに基づく当該弾性部材の変性，劣化などを抑止し、内容物放出操作の長期にわたるソフト化，利便化を図ることを目的とする。
【課題を解決するための手段】
【００１６】
本発明は、以上の課題を次のようにして解決する。
（１）内容物放出操作（例えば後述のスパウト９の操作）に連動して静止モード位置のピストン（例えば後述のピストン５）が弾性力（例えば後述のアウタースプリング８の弾性力）に抗しながらハウジング内部（例えば後述のハウジング２の内部）を第一方向（例えば図示下方向）に移動するときの、吸込弁（例えば後述の吸込弁体４，吸込弁座２ｄ）と吐出弁（例えば後述の吐出弁体６，吐出弁座５ｇ，５ｈ）との間のハウジング内部空間域（例えば後述のハウジング内部空間域Ａ）に収容された内容物の圧力増加により、当該吐出弁がそれまでの静止モードの閉状態から開状態へと移行するポンプ機構において、
前記吐出弁の構成要素であって、前記ピストンの一部からなる吐出弁座（例えば後述の吐出弁座５ｇ，５ｈ）と、
前記吐出弁の構成要素であって、前記内容物の圧力増加にともない前記弾性力に抗しながら前記吐出弁座から離れる第二方向（例えば図示上方向）に全体が移動する吐出弁体（例えば後述の吐出弁体６）と、
前記第一方向における静止モード位置より先への移動が制限され、かつ、前記吐出弁体とともに前記第二方向へ連動するスライド部材（例えば後述のスライドリング７）と、
前記ピストンと前記スライド部材との間に配設されて前記弾性力を付与する弾性部材（例えば後述のアウタースプリング８）と、を備えた、
ポンプ機構を用いる。
（２）上記（１）において、
前記スライド部材および前記弾性部材は、
前記ハウジング内部空間域，前記吐出弁体および前記ピストンそれぞれの外側に設けられている、
ポンプ機構を用いる。
（３）上記（１），（２）において、
前記ピストンは、
前記弾性部材の一方部分（例えば後述のアウタースプリング８の上端部分）に対する周方向の外周面受け部（例えば後述の環凸状部５ｃ）が形成された筒状部（例えば後述のピストン上部５ａ）を有し、
前記スライド部材は、
前記ピストンの回りに設定されて、前記弾性部材の他方部分（例えば後述のアウタースプリング８の下端部分）に対する内周面受け部（例えば後述の環状段部７ｂ）が形成されたリング状部である、
ポンプ機構を用いる。
（４）上記（１），（２），（３）において、
前記吐出弁座は、
前記吐出弁体が静止モード位置から前記第二方向に移動する際、その所定長の初期移動後にはじめて当該吐出弁体と離間する態様の、形状（例えば後述の環壁状の吐出弁座５ｈの形状）を有している、
ポンプ機構を用いる。
【００１７】
本発明は、以上の構成からなるポンプ機構およびこのポンプ機構を用いたポンプ式製品を対象としている。
【発明の効果】
【００１８】
本発明は以上の課題解決手段により、
(11)内容物放出操作時における操作部材の作動荷重を従来の吐出弁体変形態様の内容物放出操作の場合よりも小さくして、利用者の内容物放出操作のソフト化，利便化を図る、
(12)ピストンを静止モード位置に付勢するための弾性部材の、放出対象内容物との化学反応などに基づく変性，劣化を抑止する、
ことなどができる。
【図面の簡単な説明】
【００１９】
【図１】ポンプ機構の静止モードを示す説明図である。
【図２】図１のポンプ機構の吐出弁が開く直前の状態を示す説明図である。
【図３】図２に続く内容物放出操作により吐出弁が開いた作動モード（内容物放出状態）を示す説明図である。
【図４】ポンプ機構における蓄圧式吐出弁座(a)および直圧式吐出弁座(b)を示す説明図である。
【発明を実施するための形態】
【００２０】
図１〜図４に基づいて本発明の実施形態を説明する。
【００２１】
以上の図で用いるアルファベット付き参照番号の構成要素（例えば開口首部１ａ）は原則として、当該参照番号の数字部分の構成要素（例えば容器本体１）の一部であることを示している
【００２２】
図１〜図４において、
１は周知のポンプ作用により外部空間域に放出される内容物を収容した容器本体，
１ａは当該容器本体の開口首部，
２は次回放出対象の内容物を収容する筒状のハウジング，
２ａは当該ハウジングの上端側に形成された環鍔状部，
２ｂは環鍔状部２ａの下方のハウジング周面に形成されて、ポンプ式製品がその作動モード終了後の静止モードへの復帰時に、容器本体１の内部へその減圧防止用の外気を供給するための孔部，
２ｃは当該ハウジングの下端側に形成された小径筒状部，
２ｄは小径筒状部２ｃの内周面上下方向に図示の漏斗形状態様で形成された環テーパ状の吸込弁座，
２ｅは吸込弁座２ｄの上方のハウジング内周面部分に形成された環凹状部，
をそれぞれ示している。
【００２３】
また、
３は容器本体１の開口首部１ａと螺合して、ハウジング２を当該開口首部に固定するための筒状のネジキャップ，
３ａは開口首部１ａの外周面と螺合する内周面部分を備えた下側筒状部，
３ｂは下側筒状部３ａの内周面上端側に形成されて、ハウジング２の環鍔状部２ａを嵌合保持するための環凸状部，
３ｃは下側筒状部３ａからその上方に連続形成された上外側筒状部，
３ｄは上外側筒状部３ｃの内側に形成されて後述のピストン５およびスライドリング７の上動位置をそれぞれ規制する上内側筒状部，
３ｅは上内側筒状部３ｄの内周面側に形成されてピストン５の上動位置を規制する環状上逆段部，
３ｆは上内側筒状部３ｄの内周面側に形成されてスライドリング７の上動位置を規制する環状下逆段部，
をそれぞれ示している。
【００２４】
また、
４はハウジング２の吸込弁座２ｄに対して接離する上下動可能な吸込弁体，
４ａは当該吸込弁体の下端側に形成され、吸込弁座２ｄとの直接の接離対象として作用する下側曲面を備えた半球状の弁体作用部，
４ｂは弁体作用部４ａからその上方に連続形成されて当該弁体作用部を下方に付勢する螺旋形状弾性部，
４ｃは螺旋形状弾性部４ｂの上端側に連続形成されて、その外周部分がハウジング２の環凹状部２ｅと係合する環状固定部，
をそれぞれ示している。
【００２５】
また、
５はその下側部分がハウジング２の内部に配設されて内容物放出用の通路部を備えた鞘状のピストン（ピストン上部５ａ＋ピストン下部５ｂ），
５ａは当該ピストンの上側を構成する筒状のピストン上部（筒状部），
５ｂは当該ピストンの下側を構成する鞘状部材であって、外周面の上側部分がピストン上部５ａの下側内周面と嵌合した状態のピストン下部，
５ｃはピストン上部５ａの外周面周方向に形成されて後述のアウタースプリング８の上端部分を受ける環凸状部（外周面受け部），
５ｄはピストン上部５ａの下端側であって後述の吐出弁体６の上内側逆スカート部６ｃが密接する内周面を備えた環状垂下部，
５ｅはピストン下部５ｂに形成されてその内外の各空間域を連通させる内容物通過用の横孔部，
５ｆはピストン下部５ｂの下端側であって後述の弁体作用部６ｄとの間の吐出弁作用を呈する環鍔状部，
５ｇは環鍔状部５ｆの内端周方向に形成されて、静止モード位置の弁体作用部６ｄを密接状態に保持する環凹状の吐出弁座，
５ｈは環凹状の吐出弁座５ｇの内側周面におけるピストン下部５ｂの上側部分よりも大径かつ略同一径の上下方向ストレート部分からなり、内容物放出操作の初期段階で後述の吐出弁体６およびスライドリング７が上方向に連動する際に、その弁体作用部６ｄとの密接状態を継続する蓄圧ポンプ仕様の環壁状の吐出弁座（図１〜図３，図４(a)参照），
５ｊは周方向に飛び飛びで環壁状の吐出弁座５ｈから上方向に連続する態様で形成されて、内容物放出操作時の吐出弁を操作初期段階の閉状態から開状態にシフトさせる機能を備えた上下方向のリブ状部（図１〜図３，図４(a)参照），
５ｋは環壁状の吐出弁座５ｈに代え、環凹状の吐出弁座５ｇの内側周面下端から図示の漏斗形状態様で形成されて、弁体作用部６ｄとの接離関係が内容物放出操作直後にそれまでの閉状態から開状態へとシフトする直圧ポンプ仕様の環テーパ状部（図４(b)参照），
をそれぞれ示している。
【００２６】
また、
６はピストン上部５ａの環状垂下部５ｄおよびピストン下部５ｂの環鍔状部５ｆの間を含むピストン周囲部分に上下動可能な形で配設された環状の吐出弁体，
６ａはハウジング２の内周面に密接する上外側逆スカート部，
６ｂは同じくハウジング２の内周面に密接する下外側スカート部，
６ｃは環状垂下部５ｄの内周面に密接する上内側逆スカート部，
６ｄは吐出弁を構成し、環凹状の吐出弁座５ｇ，環壁状の吐出弁座５ｈやリブ状部５ｊに密接する下内側逆スカート状の弁体作用部，
をそれぞれ示している。
【００２７】
また、
７はその全体がハウジング２の上側内周面に案内されながら上下動可能で、吐出弁体６と上方向に連動し、後述のアウタースプリング８の弾性力で下方向に付勢されてハウジングの環鍔状部２ａに当接した状態の静止位置をとりえるスライドリング（スライド部材，リング状部），
７ａは環鍔状部２ａの内側上面部分に当接保持される環状逆段部，
７ｂは後述のアウタースプリング８の下端部分を受ける環状段部（内周面受け部），
７ｃは静止モードや放出操作初期段階において吐出弁体６の上外側逆スカート部６ａの内周面と当接する漏斗形状態様の環テーパ状底面，
をそれぞれ示している。
【００２８】
また、
８はピストン上部５ａの環凸状部５ｃとスライドリング７の環状段部７ｂとの間に配設されて、すなわち放出対象内容物が流入することのない空間域に配設されてピストン５を上方向に付勢し、スライドリング７を下方向に付勢することによりそれぞれを静止モード位置に設定するコイル状のアウタースプリング（弾性部材），
９はピストン上部５ａに取り付けられて、押下げ操作部および内容物通路部として作用するスパウト，
９ａは外部空間域への内容物通路部，
９ｂは内容物通路部９ａの放出口，
９ｃは当該スパウトに取り付けられて放出口９ｂを備えたノズル，
９ｄは当該スパウトの押下げ操作面，
をそれぞれ示している。
【００２９】
また、
１０は容器本体１の開口首部１ａとハウジング２の環鍔状部２ａとの間に設定されて容器本体内容物のシール作用を呈する環状パッキン，
１１はハウジング２の小径筒状部２ｃに取り付けられた状態で容器本体１からハウジング内部への内容物通路部として作用する吸上げパイプ，
Ａは吸込弁と吐出弁との間のハウジング内部に画定されて、静止モードのとき、次回の放出対象内容物が収容されるハウジング内部空間域，
をそれぞれ示している。
【００３０】
ここで、容器本体１，ハウジング２，ネジキャップ３，吸込弁体４，ピストン５，吐出弁体６，スライドリング７，スパウト９，吸上げパイプ１１はそれぞれ、ポリプロピレン，ポリエチレン，ポリアセタール，ナイロン，ポリブチレンテレフタレートなどからなるプラスチック製のものである。
【００３１】
アウタースプリング８は金属製や合成樹脂製のもの、環状パッキン１０はゴム製や合成樹脂製のものである。
【００３２】
上述したように吸込弁座２ｄと吸込弁体４（弁体作用部４ａ）とで吸込弁が形成され、また環凹状の吐出弁座５ｇ，環壁状の吐出弁座５ｈと吐出弁体６（弁体作用部６ｄ）とで吐出弁が形成されている。
【００３３】
内容物放出操作がおこなわれていない図１の静止モードのとき、これら吸込弁および吐出弁がともに閉じ、吸込弁と吐出弁との間のハウジング内部空間域Ａには内容物が収容されている。この収容内容物が次回の放出対象である。
【００３４】
図示の実施形態の基本的特徴は、
(21)静止モードから内容物放出状態に移行するための内容物放出操作の初期段階で、吸込弁と吐出弁との間のハウジング内部空間域Ａの容積が減少してその収容内容物の圧力が増加するときに、吐出弁体６の全体が上動してその弁座から離間するようにした、すなわちこれまでのように吐出弁体６の弁体作用部６ｄが弾性変形して吐出弁座５ｇ，５ｈから離間するのではなく、
(22)吐出弁体６の全体が上動する際にこれと連動し、かつ、その最下位置がハウジング２によって設定されるスライドリング７を設け、
(23)内容物放出操作用のスパウト９と一体で吐出弁座５ｇ，５ｈを備えたピストン５と、スライドリング７との間の放出対象内容物が流入しえない空間域に、当該ピストンおよび当該スライドリングをそれぞれ図１の静止モード位置の方に付勢するためのアウタースプリング８を配設した、
ことなどである。
【００３５】
このような基本的特徴を有する蓄圧式，直圧式それぞれのポンプ機構は、
(31)スパウト９の放出操作に必要な作動荷重を小さくできる、例えば従来の吐出弁体が変形するポンプ機構での作動荷重「3.0kgf〜4.0kgf」に対して略「2.0kgf」程度の力でよく、内容物放出操作のソフト化を図ることができ、
(32)ピストン５およびスパウト９を静止モード位置に付勢するアウタースプリング８が放出対象内容物と接触しない空間域に配設されているので、内容物との化学反応などに基づく当該スプリングの変性，劣化を阻止することができる。
【００３６】
なお、容器本体１に取り付ける前のいわばポンプユニット（ハウジング２，ネジキャップ３，吸込弁体４，ピストン５，吐出弁体６，スライドリング７，アウタースプリング８，スパウト９，環状パッキン１０，吸上げパイプ１１）の組立手順は、例えば次のようになる。
【００３７】
(41)ピストン上部５ａの下方からアウタースプリング８，スライドリング７，吐出弁体６を順にセットした後、その下方からピストン下部５ｂを取り付けてピストン５とし、
(42)吸込弁体４をハウジング２にその上方から取り付け、かつ環状パッキン１０をハウジング２の環鍔状部２ａにその下方から嵌合させ、
(43)次に、上記(41)のピストン５を上記(42)のハウジング２にその上方から差し込み、
(44)次に、ネジキャップ３をハウジング２の環鍔状部２ａにその上方から取り付け、
(45)次に、スパウト９をピストン５の上端に取り付け、
(46)任意の段階で、ハウジング２の小径筒状部２ｃに吸上げパイプ１１を取り付ける。
【００３８】
図１は蓄圧式ポンプ機構の静止モード、すなわちスパウト９がまだ押下げられていない状態を示している。
【００３９】
静止モードでは、概略、アウタースプリング８の弾性作用により、ピストン５およびこれと一体のスパウト９、ならびに当該ピストンにいわば持上げられた形の吐出弁体６がそれぞれ最上動位置に設定され、かつ、スライドリング７がその最下動位置に設定されている。
【００４０】
この静止モードのとき、
(51)前回の内容物放出操作の終了にともなって、容器本体１の内容物が吸上げパイプ１１および開状態の吸込弁（吸込弁座２ｄ，弁体作用部４ａ）を介してハウジング内部空間域Ａに流入済みであり、
(52)吸込弁体４の弁体作用部４ａは、容器本体内容物がハウジング内部空間域Ａに流入した後、その上の螺旋形状弾性部４ｂの作用により下動して、ハウジング２の吸込弁座２ｄに密接した閉状態に設定され、
(53)吐出弁体６も、その弁体作用部６ｄがピストン下部５ｂの環凹状の吐出弁座５ｇ，環壁状の吐出弁座５ｈにそれぞれ当接した閉状態に設定されている。
【００４１】
また、
(61)ピストン５は、アウタースプリング８の弾性作用により上方に付勢されてその環凸状部５ｃがネジキャップ３の環状上逆段部３ｅに係止され、
(62)スライドリング７は、アウタースプリング８の弾性作用により下方に付勢されてその環状逆段部７ａがハウジング２の環鍔状部２ａの上面部分に係止され、かつ、その環テーパ状底面７ｃが吐出弁体６の上外側逆スカート部６ａの内面部分に当接している。
【００４２】
このように静止モードのハウジング内部空間域Ａは、その上流側の吸上げパイプ１１およびその下流側の横孔部５ｅ，内容物通路部９ａなどのいずれとも連通していない。
【００４３】
図２は、図１のポンプ機構のスパウト９の押下げ操作面９ｄを利用者が下方に押したときの初期段階を示している。
【００４４】
押下げ操作にともなうハウジング内部空間域Ａの容積減少によりその中の内容物圧力が初期増加し、この圧力増加にともない吐出弁体６の全体およびスライドリング７が固定状態のハウジング２（および下動状態のピストン５）に対し少しだけ押し上げられる。
【００４５】
図２は、この押上げにともない、吐出弁体６の弁体作用部６ｄのいわば当接相手が環壁状の吐出弁座５ｈからその直上のリブ状部５ｊにシフトする直前段階を示している。すなわち吐出弁は閉状態にとどまったままである。
【００４６】
この直前段階のとき、ピストン下部５ｂの環状垂下部５ｄの下端面部分はまだ吐出弁体６に当接していない。
【００４７】
図１の静止モード位置から図２の吐出弁開状態へのシフト直前段階までの間、吐出弁体６は環壁状の吐出弁座５ｈと密接したままである。
【００４８】
この間、ハウジング内部空間域Ａに収容された内容物はその圧力が増加したままのいわゆる蓄圧状態に設定されている。
【００４９】
図３は、スパウト９およびピストン５が図２の位置よりも下動し、吐出弁がそれまでの閉状態から開状態にシフトした作動モードを示している。
【００５０】
この作動モードのとき、
(71)吐出弁体６は、ハウジング内部空間域Ａの内容物圧力によりピストン下部５ｂに対してさらに上動し、下内側逆スカート状の弁体作用部６ｄの密接相手がそれまでの環壁状の吐出弁座５ｈからその直上のリブ状部５ｊに変わり、
(72)ピストン上部５ａは、その環状垂下部５ｄの下端面部分が吐出弁体６に当接した状態で下方に駆動され、
(73)スライドリング７は、ピストン上部５ａおよびこれに当接した状態の吐出弁体６が下方へ移動するのにともなって当該吐出弁体から離間した後、アウタースプリング８の弾性作用で図１の静止モード位置に復帰する、すなわちスライドリング７の環状逆段部７ａがハウジング２の環鍔状部２ａに保持された状態に復帰する。
【００５１】
図３の作動モードでは、上記(31)で記したように弁体作用部６ｄが当接する隣同士のリブ状部５ｊの間に形成された溝状部を介して、ハウジング内部空間域Ａと内容物通路部９ａ，放出口９ｂなどとが連通する。吐出弁が開状態に移行する。
【００５２】
この吐出弁開状態でスパウト９およびピストン５がさらに押し下げられると、ハウジング内部空間域Ａの容積が減少し、この容積減少分に対応した収容済み内容物が放出口９ｂから外部空間域に放出される。
【００５３】
外部空間域への内容物放出径路は図示矢印で示すように、「ハウジング内部空間域Ａ−リブ状部５ｊの間の溝状部−横孔部５ｅ−ピストン５の内容物通路部−スパウト９の内容物通路部９ａ−放出口９ｂ」となる。
【００５４】
利用者が押下げ操作面９ｄの下動操作を解除する（押下げ操作面９ｄから手を離す）と、ピストン５およびこれと一体のスパウト９がアウタースプリング８の弾性作用により上方向に移動して図１の静止モード位置に復帰する。
【００５５】
このピストン５の上方向への復帰動作にともない、
(81)吐出弁体６もピストン下部５ｂの吐出弁座５ｇに持上げられる形で図１の静止モード位置に復帰して、吐出弁がそれまでの開状態から閉状態にシフトし、
(82)ハウジング内部空間域Ａがその容積増加により容器本体１の内部に対し負圧になるので、吸込弁体４（弁体作用部４ａ）が螺旋形状弾性部４ｂの弾性力に抗しながら上昇してハウジング２の吸込弁座２ｄから離間し、
(83)この弁体作用部４ａの離間部分から容器本体１の収容内容物がハウジング内部空間域Ａに流入し、そこでの負圧状態が解消した段階で、吸込弁体４は螺旋形状弾性部４ｂの弾性作用により吸込弁座２ｄとの密接状態に復帰し、
(84)この容器本体１からハウジング内部空間域Ａへの内容物流入に基づく容器本体内部の負圧化を防止すべく、外気が、ハウジング２の孔部２ｂから容器本体内部に流入する。
【００５６】
図１の静止モードでは、これらのハウジング内部空間域Ａへの内容物流入動作および容器本体１の内部への外気流入動作がそれぞれ終了している。
【００５７】
上記(83)において容器本体１からハウジング内部空間域Ａに流入した内容物が次回の放出対象となる。
【００５８】
図４(b)は、直圧式ポンプ機構における吐出弁座形状などを示している。
なお、図４(a)は図１〜図３の蓄圧式ポンプ機構の吐出弁座などを示す説明図である。
【００５９】
図示の直圧式ポンプ機構の場合、蓄圧式における環壁状の吐出弁座５ｈおよびその直上のリブ状部５ｊの代わりに、環テーパ状部５ｋを形成した態様になっている。
【００６０】
すなわち、静止モード位置の吐出弁体６の弁体作用部６ｄと密接するのはもっぱら環凹状の吐出弁座５ｇの底面部分である。
【００６１】
図４(a)の蓄圧式ポンプ機構の場合、静止モード位置の弁体作用部６ｄは当該底面部分に加えて環壁状の吐出弁座５ｈにも密接する。
【００６２】
そのため、図４(b)の直圧式ポンプ機構の吐出弁体６（弁体作用部６ｄ）は、内容物放出操作開始直後の段階におけるハウジング内部空間域Ａの内容物圧力増加により上動して吐出弁座５ｇから離間して、作動モードへとシフトする。
【００６３】
本発明が以上の実施形態に限定されないことは勿論であり例えば、
(91)押下げ操作タイプのスパウト９に代えて傾動タイプ（チルトタイプ）の操作部を用いる、
(92)吸込弁および吐出弁として各種タイプのものを用いる、
ようにしてもよい。
【００６４】
本発明が適用されるポンプ式製品としては、石けん，消毒剤，化粧品，乳液、洗剤，シャンプー，リンス，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６５】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００６６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６８】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７０】
高分子化合物としては、メチルセルロース，ゼラチン，デンプン，カゼイン，ヒドロキシエチルセルロース，キサンタンガム，カルボキシビニルポリマーなどを用いる。
【００７１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７２】
さらに、上記内容物以外の、懸濁剤，紫外線吸収剤，乳化剤，保湿剤，酸化防止剤、金属イオン封鎖剤なども用いることができる。
【符号の説明】
【００７３】
１：容器本体
１ａ：開口首部
２：ハウジング
２ａ：環鍔状部
２ｂ：孔部
２ｃ：小径筒状部
２ｄ：環テーパ状の吸込弁座
２ｅ：環凹状部
【００７４】
３：ネジキャップ
３ａ：下側筒状部
３ｂ：環凸状部
３ｃ：上外側筒状部
３ｄ：上内側筒状部
３ｅ：環状上逆段部
３ｆ：環状下逆段部
４：吸込弁体
４ａ：半球状の弁体作用部
４ｂ：螺旋形状弾性部
４ｃ：環状固定部
【００７５】
５：ピストン
５ａ：ピストン上部
５ｂ：ピストン下部
５ｃ：環凸状部
５ｄ：環状垂下部
５ｅ：横孔部
５ｆ：環鍔状部
５ｇ：環凹状の吐出弁座
５ｈ：蓄圧ポンプ仕様の環壁状の吐出弁座（図１〜図３，図４(a)）
５ｊ：上下方向のリブ状部
５ｋ：直圧ポンプ仕様の環テーパ状部（図４(b)）
【００７６】
６：吐出弁体
６ａ：上外側逆スカート部
６ｂ：下外側スカート部
６ｃ：上内側逆スカート部
６ｄ：下内側逆スカート状の弁体作用部
７：スライドリング
７ａ：環状逆段部
７ｂ：環状段部
７ｃ：環テーパ状底面
【００７７】
８：アウタースプリング
９：スパウト
９ａ：内容物通路部
９ｂ：放出口
９ｃ：ノズル
９ｄ：押下げ操作面
１０：環状パッキン
１１：吸上げパイプ
Ａ：ハウジング内部空間域
【図１】
2014172644.tif 000003
【図２】
2014172644.tif 000004
【図３】
2014172644.tif 000005
【図４】
2014172644.tif 000006